(57)【特許請求の範囲】
【請求項１】
底板部と当該底板部に突設された周壁部とに囲まれた空間に毒餌剤を収納する容器本体と、前記容器本体の上部開口を密封するシール部材とを備え、使用時に前記シール部材が剥離される毒餌剤容器において、
前記周壁部の上部には、前記周壁部に沿って連続的に設けられた突部を有し、
前記シール部材は、前記突部に密着する密着片と、前記シール部材が剥離される始点の側で前記密着片から折り返される折返片と、前記折返片の端部に形成され、前記容器本体の外部に導出される引張部と、を備え、
前記折返片は、当該シール部材の剥離の始点から終点に向かう方向に前記密着片を超える長さを有し、
前記引張部が前記方向に引っ張られることにより、前記シール部材が前記容器本体から剥離されることを特徴とする毒餌剤容器。
【請求項２】
前記突部が、前記シール部材が剥離される始点から終点に向かう方向に対して直交する方向に延びていないことを特徴とする請求項１に記載の毒餌剤容器。
【請求項３】
前記容器本体が、前記底板部と前記周壁部とに囲まれた空間を分割する仕切壁を備え、当該仕切壁の上部に、突出先端が前記突部の突出先端の高さに等しい仕切壁突部が前記仕切壁に沿って連続的に設けられていることを特徴とする請求項１に記載の毒餌剤容器。
【請求項４】
前記仕切壁突部が、前記シール部材が剥離される始点から終点に向かう方向に対して直交する方向に延びていないことを特徴とする請求項３に記載の毒餌剤容器。
【発明の詳細な説明】
【０００１】
【発明の属する技術分野】
本発明は、害虫駆除用の毒餌剤を収納する毒餌剤容器に関し、詳しくは、容器本体の上部開口を密封するシール部材を剥がして使用する毒餌剤容器に関する。
【０００２】
【従来の技術】
従来から、蟻やゴキブリ等の害虫を駆除するための様々な方法が提案されている。例えば、殺虫剤を噴霧する方法や、害虫に対する誘引物質を含む捕獲器を使用する方法が知られている。また、食毒剤を害虫が好む餌に混ぜたもの、所謂、毒餌剤を収納した容器を用いる方法が提案されており、この方法は、残効性および害虫の増殖防止性に優れている。
【０００３】
毒餌剤の種類によっては、空気に触れることで殺虫効果や誘引効果が低下するものや、顆粒状や粉体状や液状等の流動性を有するものであって容器からこぼれやすいものがあり、このような毒餌剤は容器内に密封保存される。この場合用いられる毒餌剤容器としては、例えば、底板と周壁とから構成された容器本体内の空間を収納部として毒餌剤を収納し、上部開口をシール部材により密封したもの等がある。通常、シール部材はヒートシール等により周壁の上部に溶着される。
【０００４】
また、容器本体内の空間を仕切壁により分割して複数の収納部を形成し、各収納部に別々の毒餌剤を収納する毒餌剤容器も提案されている。このような毒餌剤容器においても、毒餌剤を容器内に密封保存するとともに種類の異なる毒餌剤の互いの混合を防ぐ目的で、各収納部の上部開口を１枚のシール部材により密封している。
【０００５】
前述した毒餌剤容器は、使用に際して、上部開口を密封するシール部材を剥がして適当な場所に放置される。一般に、シール部材を剥離する際には、周壁の上部の一点からその点に密着するシール部材を剥がし始めるが、この剥がし始める周壁上部の点を始点と呼ぶことにする。シール部材の剥離は、次に、シール部材の最初に剥がした部分を把持して横方向または上方向に引っ張ることにより行われる。この時最後までシール部材が密着している周壁上部の点を、終点と呼ぶことにする。
【０００６】
【発明が解決しようとする課題】
確実に毒餌剤を密封し、また、種類の異なる毒餌剤の混合を確実に防ぐために、シール部材は周壁の上部に均一かつ確実に密着されることが望まれる一方、他方では周壁の上部から剥がしやすいことが望まれ、これら２つの相反する要望を満足する毒餌剤容器が求められていた。
シール部材を剥離する際、剥がし始める時と剥がし取る時に、比較的広い面積にわたって周壁の上部に密着しているシール部材を剥がすことになる場合が多く、これらの時にはシール部材が剥がれにくく、強い力でシール部材を引っ張る必要があった。従ってこれらの時に、特に、容器を手に持ってシール部材を剥がそうとした場合、手がぶれて毒餌剤を容器外に飛散させてしまうことがあり、使い勝手が悪かった。
そして、容器本体内の空間を仕切壁によって複数の収納部に分けた場合、周壁の上部と仕切壁の上部とにシール部材を均一に密着させることが難しくなり、シール部材による毒餌剤の密封性が不十分になる傾向があった。
【０００７】
本発明は、前記課題に鑑みてなされたものであって、未使用時にはシール部材による毒餌剤の密封性が確保され、かつ、使用時にはシール部材を容易に剥がすことが可能な毒餌剤容器を提供することを目的としている。
【０００８】
【課題を解決するための手段】
本発明に係わる前記目的は、底板部と当該底板部に突設された周壁部とに囲まれた空間に毒餌剤を収納する容器本体と、前記容器本体の上部開口を密封するシール部材とを備え、使用時に前記シール部材が剥離される毒餌剤容器において、前記周壁部の上部には、前記周壁部に沿って連続的に設けられた突部を有し、前記シール部材は、前記突部に密着する密着片と、前記シール部材が剥離される始点の側で前記密着片から折り返される折返片と、前記折返片の端部に形成され、前記容器本体の外部に導出される引張部と、を備え、前記折返片は、当該シール部材の剥離の始点から終点に向かう方向に前記密着片を超える長さを有し、前記引張部が前記方向に引っ張られることにより、前記シール部材が前記容器本体から剥離されることを特徴とする毒餌剤容器によって解決することができる。
【０００９】
ここで周壁部の上部とは、例えば周壁部の上面などを指す。このとき突部は、周壁部の上面からはみ出さない範囲で蛇行していてもよく、折れ曲がっていてもよい。また、突部へのシール部材の密着は、ヒートシールによる溶着や接着剤を用いた接着により行ってもよい。
このように構成された毒餌剤容器によれば、突部にシール部材を均一かつ確実に密着させることができる一方、シール部材が突部に密着している面積は狭いので、シール部材の剥離も容易に行うことができる。
【００１０】
また、本発明の毒餌剤容器においては、前記突部が、前記シール部材が剥離される始点から終点に向かう方向に対して直交する方向に延びていなければ、シール部材を剥離する際に、シール部材が剥がれにくい箇所が無いので、毒餌剤を容器外にこぼしてしまう心配もなくなる。
【００１１】
また、本発明の毒餌剤容器においては、前記容器本体が、前記底板部と前記周壁部とに囲まれた空間を分割する仕切壁を備え、当該仕切壁の上部に、突出先端が前記突部の突出先端の高さに等しい仕切壁突部が前記仕切壁に沿って連続的に設けられていれば、周壁部の上面と仕切壁の上面とにシール部材を均一に密着させることができ、毒餌剤を確実に密封することができる。
ここで仕切壁の上部とは、例えば仕切壁の上面などを指す。このとき仕切壁突部は、仕切壁の上面からはみ出さない範囲で蛇行していてもよく、折れ曲がっていてもよい。
【００１２】
また、本発明の毒餌剤容器においては、前記仕切壁突部が、前記シール部材が剥離される始点から終点に向かう方向に対して直交する方向に延びていなければ、仕切壁を設けた場合においても、シール部材を剥離する際にシール部材が剥がれにくい箇所が無いので、毒餌剤を容器外にこぼしてしまう心配がない。
【００１３】
【発明の実施の形態】
以下、本発明の実施形態を図１乃至図３に基づいて詳しく説明する。図１は毒餌剤容器の平面図、図２は毒餌剤容器の縦断面図である。図２に示すように、毒餌剤容器１は、底板３と、底板３に突設された周壁部４とを有する容器本体２を備えている。容器本体２は更に、底板３に突設され、底板３と周壁部４とに囲まれた空間を縦方向に分割して２個の毒餌剤収納部８ａ，８ｂを形成する仕切壁５を有している。各毒餌剤収納部８ａ，８ｂには異なる種類の図示しない毒餌剤が収納される。
【００１４】
周壁部４は、底板３に直角方向に立設され周壁部４の内周面を形成する立壁４ｂと、立壁４の外側において、害虫が登れるように緩やかに傾斜された傾斜壁４ｃと、立壁４ｂと傾斜壁４ｃとを上端において連結し、周壁部４の上部を形成する上面板４ａと、傾斜壁４ｃの外側において底板３に立設された外壁４ｄとを備えている。上面板４ａには、本発明の特徴的構成である突部６が突設されている。
【００１５】
仕切壁５は、底板３に直角方向に立設された一対の立壁５ｂと、一対の立壁５ｂを上端において連結し、仕切壁５の上部を形成する上面板５ａとを備えている。仕切壁５は、周壁部４と同じ高さに形成されている。そして仕切壁５の上面板５ａには、本発明のもう一つの特徴的構成である仕切壁突部７が突設されている。ここでは、底板３、周壁部４、仕切壁５、突部６、仕切壁突部７は一体成形されている。そして、外壁４ｄには、キャップ２０を係着することができる。
【００１６】
図２のＹ部拡大図を図３に示す。図３に示すように、周壁部の上面板４ａには、高さＨ、上底幅Ｗ１、下底幅Ｗ２の突部６が突設されている。高さＨおよび幅Ｗ１，Ｗ２は特に限定しないが、高さ０．2 ｍｍ〜０．５ｍｍ、上底幅０．１〜０．４ｍｍ、下底幅０．５〜１．５ｍｍ程度のものが好ましい。この他にも、上底幅が０．０ｍｍの、三角形状の突部等を用いてもよい。なお、これらの寸法は、シール部材１０を溶着する前の突部６の寸法を示すものである。
【００１７】
そして、図２に示すように、周壁部の突部６および仕切壁突部７の上に、シール部材１０が密着される。シール部材１０としては、イージーピール材（例えば、ナイロン１５μ，シーラント３０μ）を採用することができる。シール部材１０をヒートシールにより溶着するには、先ず、シール部材を突部６および仕切壁突部７上に載置する。次にシール部材１０を、加熱しながら突部６および仕切壁７に向けて押圧して、突部６および仕切壁７を押しつぶす。このようにして、シール部材１０の溶着が行われる。
【００１８】
シール部材１０は、毒餌剤容器１内の一方の側（図２中左側）において折り返されて、折り返されたシール部材１０は、毒餌剤容器１の他方の側（図２中右側）のキャップ２０に設けられた導出口２１から外部に導出されて、引張部１０ａを形成している。
【００１９】
シール部材１０の剥離は、シール部材１０の引張部１０ａを、図１および図２において矢印Ｘで示される方向（以下、剥離方向Ｘと呼ぶ）に引っ張ることにより行われる。引張部１０ａを剥離方向Ｘに引くと、図１に示す始点Ｓからシール部材１０が剥がされ始める。そして最後に、終点Ｅからシール部材１０を剥がし取ることによりシール部材１０の剥離は完了する。
【００２０】
図１に示すように、周壁部４は、平面的には六角形状に形成されていて、周壁部の上面板４ａに、突部６が周壁部４に沿って連続的に設けられている。ここで突部６は、始点Ｓから終点Ｅに向かう方向（本実施形態においては剥離方向Ｘに等しい）に直交する方向に延びていない。
【００２１】
また、仕切壁５の上面板５ａにも図３に示した突部６と同様な高さＨと幅Ｗ１，Ｗ２を有する仕切壁突部７が、仕切壁５に沿って連続的に突設されている。仕切壁５は、始点Ｓから終点Ｅに向かう方向に直交する方向に延びていない。仕切壁５は、始点Ｓから終点Ｅに向かって延びていてもよい（例えば図４(D) に示すもの）。そして、仕切壁突部７も突部６と同様に、始点Ｓから終点Ｅに向かう方向に直交する方向に延びていない。
外壁４ｄには、害虫が毒餌剤容器１内に侵入できるように、複数の侵入口９が設けられている。
【００２２】
以上のような構成の毒餌剤容器１においては、周壁部４および仕切壁５の上面に、突部６および仕切壁突部７がそれぞれ設けられているので、ヒートシールによってそれらの突部を押しつぶすことで、イージーピール材からなるシール部材１０を均一に溶着することができる。従って、未使用時における毒餌剤の密封性が確保され、かつ各収納部８ａ，８ｂに収納される毒餌剤の混合が確実に防止される。
また、シール部材１０を、上面板４ａ，５ａより幅が細い突部６および仕切壁突部７に溶着させているので、シール部材１０の溶着面積は狭く、シール部材の剥離を行いやすい。従って、シール部材１０を剥離する際に、毒餌剤を容器外にこぼす心配がない。
【００２３】
そして、突部６および仕切壁突部７が、始点Ｓから終点Ｅに向かう方向に直交する方向に延びていないので、引張部１０ａを剥離方向Ｘに引っ張ってシール部材１０を剥離する最中に、突部６および仕切壁突部７に溶着されているシール部材１０の面積が急激に増加することはない。従って、シール部材１０が剥がれにくい箇所がないので、シール部材１０の剥離は一層容易に行われる。
また、突部６の突出先端が尖っていないので、シール部材１０を載置した際に、当該シール部材が破れてしまう心配がない。
【００２４】
【実施例】
次に、図４に基づいて本発明の実施例を説明する。図４(A) に示す形状の上面板４ａおよび５ａには、ポリプロピレン樹脂からなる高さ０．４ｍｍ、上底幅０．２ｍｍ、下底幅１．２ｍｍの突部６および仕切壁突部７を設けてある。なお、これらの寸法は、シール部材を溶着する前の突部６，７の寸法を示すものである。この上面板４ａ，５ａを備えた毒餌剤容器の有効性を調べるために、次の試験を行った。
【００２５】
試験例１
図４(A) 、図４(B) に示す形状の上面板を備えた毒餌剤容器を用いて、シール部材の剥離試験を行った。図４(B) に示す形状の上面板２０，２１には突部が設けられておらず、上面板の幅は３ｍｍである。
これらの上面板にイージーピール材（シリカ蒸着ＰＥＴ  １２μ／ナイロン  １５μ／シーラント  ３０μ）をヒートシール（シール温度１５５°Ｃ，シール時間１．６秒，シール圧５ｋｇｆ／ｃｍ2 ）によって溶着した。そして、このイージーピール材を剥離方向Ｘに剥がした際に必要とされた最大引張力は、
図４(A) に示すもので０．１６ｋｇｆ、
図４(B) に示すもので０．７５ｋｇｆであった。
以上の結果から、突部および仕切壁突部を設けることにより、シール部材の剥離が容易になることがわかった。
【００２６】
試験例２
図４(A) に示す形状の上面板４ａ，５ａを備えた毒餌剤容器と、図４(B) に示す形状の上面板２０，２１を備えた毒餌剤容器とを各５個用いて、毒餌剤容器のシール性試験を行った。
各毒餌剤容器に、顆粒ベイト剤およびゼリーベイト剤を１．５ｇずつ充填し、イージーピール材（シリカ蒸着ＰＥＴ  １２μ／ナイロン  １５μ／シーラント３０μ）をヒートシール（シール温度１５５°Ｃ，シール時間１．６秒，シール圧５ｋｇｆ／ｃｍ2 ）によって溶着して、５０°Ｃの低湿度雰囲気中に放置した。そして１ケ月後に顆粒剤およびゼリー剤の重量を測定した。結果を表１に示す。
【００２７】
【表１】
0003755789.tif 000002
【００２８】
顆粒剤の重量が増えていることは、顆粒剤が吸湿したことを示す。
ゼリー剤の重量が減っていることは、ゼリー剤が蒸発したことを示す。
以上の結果から、突部および仕切壁突部を設けることにより、毒餌剤の密封性が向上することがわかった。
【００２９】
次に、図４(C) 乃至図４(F) に示す形状の、突部および仕切壁突部を設けていない上面板を備えた毒餌剤容器を用いて、密着面形状の違いによる剥離性の違いを調べた。これらの上面板の幅は全て５ｍｍである。
これらの上面板に、イージーピール材（ナイロン  １５μ／シーラント  ３０μ）をヒートシール（シール温度１８０°Ｃ，シール時間１．５秒，シール圧２ｋｇｆ／ｃｍ2 ）によって溶着した。このイージーピール材を、図４(C) に代表的に示してある剥離方向Ｘに剥がした際に必要とされた最大引張力を表２に示す。なお、これらの上面板の中では図４(F) に示したもののみが、その密着面が剥離方向Ｘに直交して延びている部分Ｃを有している。
【００３０】
【表２】
0003755789.tif 000003
【００３１】
以上の結果から、シール部材との密着面が、剥離方向に対して直交して延びていないものの方が、剥がしやすいことがわかった。
【００３２】
なお、本発明の毒餌剤容器は、前述した実施形態および実施例に限定されるものではなく、適宜な変形等が可能である。
例えば、図１乃至図３に示した実施形態においては、周壁部上部および仕切壁上部としての上面板４ａ，５ａに、突部６および仕切壁突部７を突設していたが、図５(A) に示されるような、周壁部５４（仕切壁５５）と突部５６（仕切壁突部５７）との明確な区分がないものも、本発明の技術的思想に含まれるものである。また、図４(C) 乃至(F) に、突部および仕切壁突部を突設可能な周壁部上部および仕切壁上部としての上面板の形状例を示したが、図５(B) に示すような形状のものに突部を設けてもよい。
【００３３】
【発明の効果】
以上説明したように、本発明の毒餌剤容器は、周壁部の上部に、突部が周壁部に沿って連続的に設けられている。
従って、突部にシール部材を均一に密着させることができ、毒餌剤を確実に密封保存することができる。また、シール部材が突部に密着している面積が狭いので、シール部材の剥離を容易に行うことができる。
【００３４】
また、本発明の毒餌剤容器においては、突部が、シール部材が剥離される始点から終点に向かう方向に対して直交する方向に延びていなければ、シール部材を剥離する際に、シール部材が剥がれにくい箇所が無いので、毒餌剤を容器外にこぼしてしまう心配もなくなる。
【００３５】
また、本発明の毒餌剤容器においては、容器本体が仕切壁を備え、当該仕切壁の上部に、突出先端が突部の突出先端の高さに等しい仕切壁突部が設けられていれば、周壁部の上部と仕切壁の上部とにシール部材を均一に密着させることができ、毒餌剤の一層確実な密封保存が可能となる。
【００３６】
また、本発明の毒餌剤容器においては、仕切壁突部が、シール部材が剥離される始点から終点に向かう方向に対して直交する方向に延びていなければ、仕切壁を設けた場合においても、シール部材を剥離する際に、シール部材が剥がれにくい箇所が無いので、毒餌剤を容器外にこぼしてしまう心配がない。
【図面の簡単な説明】
【図１】本発明の実施形態を示す平面図である。
【図２】本発明の実施形態を示す縦断面図である。
【図３】図２におけるＹ部の拡大図ある。
【図４】本発明の実施例を示す図である。
【図５】本発明の実施形態および実施例の変形例を示す図である。
【符号の説明】
１  毒餌剤容器
２  容器本体
３  底板（底板部）
４  周壁部
５  仕切壁
６  突部
７  仕切壁突部
８ａ，８ｂ  収納部
９  侵入口
１０  シール部材
【図１】
0003755789.tif 000004
【図２】
0003755789.tif 000005
【図３】
0003755789.tif 000006
【図４】
0003755789.tif 000007
【図５】
0003755789.tif 000008